(57)【特許請求の範囲】
【請求項１】
ａ）ユーザ端末２にインストールされた通信接続制御アプリケーション４が、特定の異種通信接続ＩＤ（ＣＮＩＤ）に対する入力信号及び呼び出し信号を受信するステップと；
ｂ）異種通信接続ＩＤ（ＣＮＩＤ）の入力信号が電話番号入力ウィンドウ２２で発生したものであるか、アプリケーション入力ウィンドウ２４で発生したものであるかを、前記通信接続制御アプリケーション４が判断するステップと；
ｃ）入力信号が電話番号入力ウィンドウ２２で発生した場合は、呼び出し信号が待機するように前記通信接続制御アプリケーション４が、電話番号入力ウィンドウ２２を制御し、入力信号がアプリケーション入力ウィンドウ２４で発生した場合は、呼び出し信号が待機するように前記通信接続制御アプリケーション４が、電話番号入力ウィンドウ２２を制御しないステップと；
ｄ）前記通信接続制御アプリケーション４が、異種通信接続ＩＤ（ＣＮＩＤ）を通信接続管理サーバ３０に転送するステップと；
ｅ）前記通信接続制御アプリケーション４が、通信接続管理サーバ３０から異種通信接続ＩＤ（ＣＮＩＤ）にマッチングされた複数の通信手段の識別情報を受信するステップと；
ｆ）前記通信接続制御アプリケーション４が、いずれかの通信手段の識別情報に対する選択信号を受信するステップと；
ｇ）前記通信接続制御アプリケーション４が、通信手段の識別情報に通信接続を行うステップと；を含むことを特徴とするモバイルアプリケーション基盤の通信接続制御方法。
【請求項２】
前記ａ）ステップの前に、
前記通信接続管理サーバ３０が、ユーザ端末２から特定の異種通信接続ＩＤ（ＣＮＩＤ）に対する登録申請信号を受け付けるステップと；
前記通信接続管理サーバ３０が、異種通信接続ＩＤ（ＣＮＩＤ）が既に登録されたか否かを検索するステップと；
異種通信接続ＩＤ（ＣＮＩＤ）が登録されていないと、前記通信接続管理サーバ３０が、異種通信接続ＩＤ（ＣＮＩＤ）の登録処理を行い、マッチングされる通信手段の識別情報のマッチング処理を行うステップと；をさらに含むことを特徴とする請求項１に記載のモバイルアプリケーション基盤の通信接続制御方法。
【請求項３】
前記ａ）ステップないしｄ）ステップで、前記通信接続制御アプリケーション４にユーザの接続可能な通信手段を設定するステップと；
前記ｅ）ステップで、前記通信接続制御アプリケーション４が、通信接続管理サーバ３０から異種通信接続ＩＤ（ＣＮＩＤ）にマッチングされた複数の通信手段の識別情報のうち、接続可能な通信手段に関する情報を受信するステップをさらに含むことを特徴とする請求項１に記載のモバイルアプリケーション基盤の通信接続制御方法。
【請求項４】
前記ａ）ステップないしｄ）ステップで、
前記通信接続管理サーバ３０が、通信接続制御アプリケーション４から特定の異種通信接続ＩＤ（ＣＮＩＤ）に対して特定の通信手段の識別情報が優先接続されるようにする設定信号を受信するステップと；
前記ｅ）ステップで、前記通信接続管理サーバ３０が、特定の異種通信接続ＩＤ（ＣＮＩＤ）にマッチングされた通信手段の識別情報及びその通信手段の識別情報に接続する前に先に接続される特定の通信手段の識別情報に関する情報を通信接続制御アプリケーション４に転送して順次接続処理が行われるようにするステップをさらに含むことを特徴とする請求項１に記載のモバイルアプリケーション基盤の通信接続制御方法。
【請求項５】
各ユーザに固有に与えられ、複数の異種の通信手段に接続するための固有の異種通信接続ＩＤ（ＣＮＩＤ）を電話番号入力ウィンドウ２２やアプリケーション入力ウィンドウ２４に入力し、通信接続管理サーバ３０から実際の通信手段の識別情報を受け取って通信接続を行う通信接続制御アプリケーション４が搭載されたユーザ端末２と；
各ユーザの申請により固有に与えた異種通信接続ＩＤ（ＣＮＩＤ）と、その異種通信接続ＩＤ（ＣＮＩＤ）が代表する複数の通信手段別の識別情報をマッチングして登録し、前記通信接続制御アプリケーション４の要求により実際の識別情報を提供する通信接続管理サーバ３０と；を含み、
また、前記通信接続制御アプリケーション４は、その内部に単一の特定の異種通信接続ＩＤ（ＣＮＩＤ）にマッチングされた複数の通信手段の識別情報を通信接続管理サーバ３０に要求し、受信した複数の通信手段の識別情報と通信するための通信モジュール６と；
電話番号入力ウィンドウに特定の識別情報が入力されると、呼接続要求信号の発生を一定時間停止するように処理する呼び出し待機処理部８と；
単一の特定の異種通信接続ＩＤ（ＣＮＩＤ）にマッチングされた複数の通信手段の識別情報を通信接続管理サーバ３０に要求するためのＣＮＩＤ検索要求部１０と；
前記通信接続管理サーバ３０から受信した複数の通信手段の識別情報のうち、ユーザの選択キー信号を受信して通話回路部１４または無線データ網制御部１６を駆動させる制御部２０と；を含むことを特徴とするモバイルアプリケーション基盤の通信接続制御システム。
【請求項６】
前記通信接続制御アプリケーション４は、電話番号入力ウィンドウ２２に備えられた通話ボタンの操作時通話ボタン操作信号を一時待機させ、その入力情報が前記通信接続管理サーバ３０に既に登録されている異種通信接続ＩＤ（ＣＮＩＤ）であるかに対する確認を要求するように構成されることを特徴とする請求項５に記載のモバイルアプリケーション基盤の通信接続制御システム。
【請求項７】
前記通信接続制御アプリケーション４は、前記通信接続管理サーバ３０から異種通信接続ＩＤ（ＣＮＩＤ）に該当する実際の識別情報を受信すると、自動的に通信接続の処理を行うように構成されることを特徴とする請求項５に記載のモバイルアプリケーション基盤の通信接続制御システム。
【請求項８】
前記通信接続管理サーバ３０は、前記通信接続制御アプリケーション４を通じてユーザが入力した各異種通信接続ＩＤ（ＣＮＩＤ）別の登録通信手段がどのものであるかを確認できるように、各異種通信接続ＩＤ（ＣＮＩＤ）別の通信手段の情報をマッチングして登録することを特徴とする請求項５に記載のモバイルアプリケーション基盤の通信接続制御システム。
【請求項９】
前記通信接続管理サーバ３０は、各異種通信接続ＩＤ（ＣＮＩＤ）別の現在通信可能な通信手段の情報を各異種通信接続ＩＤ（ＣＮＩＤ）に接続を希望するユーザが確認できるように、前記通信接続制御アプリケーション４に提供することを特徴とする請求項５に記載のモバイルアプリケーション基盤の通信接続制御システム。
【請求項１０】
前記通信接続管理サーバ３０は特定の異種通信接続ＩＤ（ＣＮＩＤ）にマッチングされた複数の通信手段のうち、特定の通信手段に接続を希望するユーザの信号を受信しても、優先接続が設定された通信手段に先に接続されるように識別情報を提供し、所望の通信手段には後に接続されるように識別情報を提供することを特徴とする請求項５に記載のモバイルアプリケーション基盤の通信接続制御システム。
【請求項１１】
前記通信接続制御アプリケーション４は、前記通信接続管理サーバ３０から提供される通信手段の識別情報がどの種類の通信手段であるかを判断し、予め指定した接続経路を通じて接続信号が発生するように構成されることを特徴とする請求項５に記載のモバイルアプリケーション基盤の通信接続制御システム。
【請求項１２】
前記通信手段別の識別情報はモバイルページのＵＲＬ、電子メールのＵＲＬ、電話番号、またはＳＮＳの接続ＵＲＬであることを特徴とする請求項５に記載のモバイルアプリケーション基盤の通信接続制御システム。
【請求項１３】
前記通信接続管理サーバ３０から受信した複数の通信手段の識別情報のうち、その出力順序が優先順位を有して設定された場合、設定順に通信接続を行うようにしたデータ出力順次処理部１２をさらに含むことを特徴とする請求項５に記載のモバイルアプリケーション基盤の通信接続制御システム。
【請求項１４】
前記通信接続管理サーバ３０に通信可能なユーザの状態を設定するための状態設定部１７と；
その状態設定情報を保存し、通信接続相手の異種通信接続ＩＤ（ＣＮＩＤ）及びその異種通信接続ＩＤ（ＣＮＩＤ）にマッチングされた複数の通信手段の識別情報を保存するデータ保存部１８と；をさらに含むことを特徴とする請求項５に記載のモバイルアプリケーション基盤の通信接続制御システム。
【発明の詳細な説明】
【技術分野】
【０００１】
本発明はモバイルアプリケーション基盤の通信接続制御システム及びその方法に関するもので、より詳細には、複数の通信手段及びその通信手段別の識別情報を単一の識別情報に合わせて管理し、特定のユーザが所有する特定の通信手段に容易に接続できるようにし、モバイル端末の一般電話番号入力ウィンドウで特定の相手の様々な異種の通信手段に容易に接続できるようにしたモバイルアプリケーション基盤の通信接続制御システム及びその方法に関するものである。
【背景技術】
【０００２】
最近、通信環境の発達に伴って、個人ユーザは自分が記憶しなければならない数多くの識別情報（例えば、ＩＤ）と認証情報（例えば、パスワード）を忘れてはならない。また、通信識別情報（例えば、携帯電話番号、職場の電話番号、自宅の電話番号、職場のファックス番号など）を記憶する必要がある。さらに、インターネットの識別番号（例えば、ホームページアドレス、ソーシャルネットワークＩＤやＵＲＬアドレス、メールアドレスＩＤなど）を記憶しなければならないため、不便さが多かった。
【０００３】
また、このような異種の通信機器が多い環境では自分の識別情報だけでなく、他人の様々な識別情報（ＩＤや電話番号）もやはり記憶しなければならず、さらに携帯電話の場合は知人の電話番号を忘れてしまうと、しばしば連絡していない間に他人の電話番号が変更され、連絡が途絶えた場合も発生する。
【０００４】
一方、このような識別情報を知人がいちいち教えてくれてもユーザは知人の識別情報をいちいちスマートフォンのアドレス帳や電子メールアドレス帳のような領域に記録しておかなければならない。そのため、入力自体が面倒で不便であり、知人に自分の様々な異種通信機器の識別情報を知らせることもやはり非常に面倒で時間がかかる問題がある。
【０００５】
また、ユーザがモバイル端末を用いて特定の電話番号や特定のアドレスの電子メール、または特定のアドレスのＳＮＳなどの様々な異種の通信手段の識別情報を直接入力して接続することもできるが、異種の通信手段に接続できるモバイル端末のウィンドウ（Ｗｉｎｄｏｗ）が相異なるため、これも非常に面倒で能率が悪い問題がある。
【発明の概要】
【発明が解決しようとする課題】
【０００６】
本発明は前述した従来技術の事情に鑑みてなされたもので、複数の通信手段及びその通信手段別の識別情報を単一の識別情報に合わせて管理し、特定のユーザが所有する特定の通信手段に容易に接続できるようにし、モバイル端末の一般電話番号入力ウィンドウで特定の相手の様々な異種の通信手段に容易に接続できるようにしたモバイルアプリケーション基盤の通信接続制御システム及びその方法を提供することにその目的がある。
【課題を解決するための手段】
【０００７】
前述の目的を達成するために、本発明の好ましい実施形態によれば、 ａ）ユーザ端末にインストールされた通信接続制御アプリケーションが、特定の異種通信接続ＩＤ（ＣＮＩＤ）に対する入力信号及び呼び出し信号を受信するステップと；ｂ）異種通信接続ＩＤ（ＣＮＩＤ）の入力信号が電話番号入力ウィンドウで発生したものであるか、アプリケーション入力ウィンドウで発生したものであるかを、前記通信接続制御アプリケーションが判断するステップと；ｃ）入力信号が電話番号入力ウィンドウで発生した場合は、呼び出し信号が待機するように前記通信接続制御アプリケーションが、電話番号入力ウィンドウを制御するステップと；ｄ）前記通信接続制御アプリケーションが、異種通信接続ＩＤ（ＣＮＩＤ）を通信接続管理サーバに転送するステップと；ｅ）前記通信接続制御アプリケーションが、通信接続管理サーバから異種通信接続ＩＤ（ＣＮＩＤ）にマッチングされた複数の通信手段の識別情報を受信するステップと；ｆ）前記通信接続制御アプリケーションが、いずれかの通信手段の識別情報に対する選択信号を受信するステップと；ｇ）前記通信接続制御アプリケーションが、通信手段の識別情報に通信接続を行うステップと；を含むことを特徴とする。
【０００８】
好ましくは、前記ａ）ステップの前に、前記通信接続管理サーバが、ユーザ端末から特定の異種通信接続ＩＤ（ＣＮＩＤ）に対する登録申請信号を受け付けるステップと；前記通信接続管理サーバが、異種通信接続ＩＤ（ＣＮＩＤ）が既に登録されたか否かを検索するステップと；異種通信接続ＩＤ（ＣＮＩＤ）が登録されていないと、前記通信接続管理サーバが、異種通信接続ＩＤ（ＣＮＩＤ）の登録処理を行い、マッチングされる通信手段の識別情報のマッチング処理を行うステップと；をさらに含む。
【０００９】
好ましくは、前記ｃ）ステップで、入力信号がアプリケーション入力ウィンドウで発生した場合は、呼び出し信号が待機するように前記通信接続制御アプリケーションが、電話番号入力ウィンドウを制御しない。
【００１０】
好ましくは、前記ａ）ステップないしｄ）ステップで、前記通信接続制御アプリケーションにユーザの接続可能な通信手段を設定するステップと；前記ｅ）ステップで、前記通信接続制御アプリケーションが、通信接続管理サーバから異種通信接続ＩＤ（ＣＮＩＤ）にマッチングされた複数の通信手段の識別情報のうち、接続可能な通信手段に関する情報を受信するステップをさらに含む。
【００１１】
好ましくは、前記ａ）ステップないしｄ）ステップで、前記通信接続管理サーバが、通信接続制御アプリケーションから特定の異種通信接続ＩＤ（ＣＮＩＤ）に対して特定の通信手段の識別情報が優先接続されるようにする設定信号を受信するステップと；前記ｅ）ステップで、前記通信接続管理サーバが、特定の異種通信接続ＩＤ（ＣＮＩＤ）にマッチングされた通信手段の識別情報及びその通信手段の識別情報に接続する前に先に接続される特定の通信手段の識別情報に関する情報を通信接続制御アプリケーションに転送して順次接続処理が行われるようにするステップをさらに含む。
【００１２】
本発明に係るモバイルアプリケーション基盤の通信接続制御システムは、各ユーザに固有に与えられ、複数の異種の通信手段に接続するための固有の異種通信接続ＩＤ（ＣＮＩＤ）を電話番号入力ウィンドウやアプリケーション入力ウィンドウに入力し、通信接続管理サーバから実際の通信手段の識別情報を受け取って通信接続を行う通信接続制御アプリケーションが搭載されたユーザ端末と；各ユーザの申請により固有に与えた異種通信接続ＩＤと、その異種通信接続ＩＤが代表する複数の通信手段別の識別情報をマッチングして登録し、前記通信接続制御アプリケーションの要求により実際の識別情報を提供する通信接続管理サーバと；を含むことを特徴とする。
【００１３】
好ましくは、前記通信接続制御アプリケーションは、電話番号入力ウィンドウに備えられた通話ボタンの操作時通話ボタン操作信号を一時待機させ、その入力情報が前記通信接続管理サーバに既に登録されている異種通信接続ＩＤであるかに対する確認を要求するように構成される。
【００１４】
好ましくは、前記通信接続制御アプリケーションは、前記通信接続管理サーバから異種通信接続ＩＤ（ＣＮＩＤ）に該当する実際の識別情報を受信すると、自動的に通信接続の処理を行うように構成される。
【００１５】
好ましくは、前記通信接続管理サーバは、前記通信接続制御アプリケーションを通じてユーザが入力した各異種通信接続ＩＤ（ＣＮＩＤ）別の登録通信手段がどのものであるかを確認できるように、各異種通信接続ＩＤ（ＣＮＩＤ）別の通信手段の情報をマッチングして登録する。
【００１６】
好ましくは、前記通信接続管理サーバは、各異種通信接続ＩＤ（ＣＮＩＤ）別の現在通信可能な通信手段の情報を各異種通信接続ＩＤ（ＣＮＩＤ）に接続を希望するユーザが確認できるように、前記通信接続制御アプリケーションに提供する。
【００１７】
好ましくは、前記通信接続管理サーバは特定の異種通信接続ＩＤ（ＣＮＩＤ）にマッチングされた複数の通信手段のうち、特定の通信手段に接続を希望するユーザの信号を受信しても、優先接続が設定された通信手段に先に接続されるように識別情報を提供し、所望の通信手段には後に接続されるように識別情報を提供する。
【００１８】
好ましくは、前記通信接続制御アプリケーションは、前記通信接続管理サーバから提供される通信手段の識別情報がどの種類の通信手段であるかを判断し、予め指定した接続経路を通じて接続信号が発生するように構成される。
【００１９】
好ましくは、前記通信手段別の識別情報はモバイルページのＵＲＬ、電子メールのＵＲＬ、電話番号、またはＳＮＳの接続ＵＲＬである。
【００２０】
好ましくは、前記通信接続制御アプリケーションは、その内部に単一の特定の異種通信接続ＩＤ（ＣＮＩＤ）にマッチングされた複数の通信手段の識別情報を通信接続管理サーバに要求し、受信した複数の通信手段の識別情報と通信するための通信モジュールと；電話番号入力ウィンドウに特定の識別情報が入力されると、呼接続要求信号の発生を一定時間停止するように処理する呼び出し待機処理部と；単一の特定の異種通信接続ＩＤ（ＣＮＩＤ）にマッチングされた複数の通信手段の識別情報を通信接続管理サーバに要求するためのＣＮＩＤ検索要求部と；前記通信接続管理サーバから受信した複数の通信手段の識別情報のうち、ユーザの選択キー信号を受信して通話回路部または無線データ網制御部を駆動させる制御部と；を含む。
【００２１】
好ましくは、前記通信接続管理サーバから受信した複数の通信手段の識別情報のうち、その出力順序が優先順位を有して設定された場合、設定順に通信接続を行うようにしたデータ出力順次処理部をさらに含む。
【００２２】
好ましくは、前記通信接続管理サーバに通信可能なユーザの状態を設定するための状態設定部と；その状態設定情報を保存し、通信接続相手の異種通信接続ＩＤ（ＣＮＩＤ）及びその異種通信接続ＩＤ（ＣＮＩＤ）にマッチングされた複数の通信手段の識別情報を保存するデータ保存部と；をさらに含む。
【発明の効果】
【００２３】
本発明に係るモバイルアプリケーション基盤の通信接続制御システム及びその方法によれば、電話番号入力ウィンドウまたはアプリケーション入力ウィンドウのうち、いずれかの入力ウィンドウにおいても特定のＩＤを入力した後、電話をかけたりその他の識別情報に接続することができるので、ユーザの利便性が非常に高く、自分が所有するＩＤにマッチングして現在の通信接続可能な状態情報を接続する他人が分かるよう登録する一方、ＩＤに接続していない第３者は自分の状態を知らないようにすることで、プライバシーも確保しながら自分のＩＤに接続する第３者には自分の通信接続可能な状態を知らせることができるので、利便性が高い長所がある。
【図面の簡単な説明】
【００２４】
【図１】本発明の一実施形態に係るモバイルアプリケーション基盤の通信接続制御システムの概略的な構成を示す模式図である。
【図２】本発明の一実施形態に係るモバイルアプリケーション基盤の通信接続制御システムに含まれた通信接続のＩＤの概念を説明するための図である。
【図３】本発明の一実施形態に係るモバイルアプリケーション基盤の通信接続制御システムの通信接続の登録状態を示す図である。
【図４】本発明の一実施形態に係るモバイルアプリケーション基盤の通信接続制御システムに含まれた通信接続制御アプリケーションの構成を示すブロック図である。
【図５】本発明の一実施形態に係るモバイルアプリケーション基盤の通信接続制御システムに含まれた通信接続ＩＤの登録過程を示すフローチャートである。
【図６】本発明の一実施形態に係るモバイルアプリケーション基盤の通信接続制御システムにおける信号の流れを示すフローチャートである。
【図７】本発明の一実施形態に係るモバイルアプリケーション基盤の通信接続制御システムを通じた状態設定データの転送状態を示す図である。
【図８】本発明の一実施形態に係るモバイルアプリケーション基盤の通信接続制御システムを通じた設定順により接続処理が行われる過程を示すフローチャートである。
【発明を実施するための形態】
【００２５】
以下、本発明について図面を参照して詳細に説明する。
図１は本発明の一実施形態に係るモバイルアプリケーション基盤の通信接続制御システムの概略的な構成を示す模式図であり、図２は本発明の一実施形態に係るモバイルアプリケーション基盤の通信接続制御システムに含まれた通信接続ＩＤの概念を説明するための図であり、図３は本発明の一実施形態に係るモバイルアプリケーション基盤の通信接続制御システムの通信接続の登録状態を示す図である。
【００２６】
これらの図を参照すれば、本発明の一実施形態に係るモバイルアプリケーション基盤の通信接続制御システムは、複数の通信手段及びその通信手段別の識別情報を単一の識別情報に合わせて管理し、特定のユーザが所有する特定の通信手段に容易に接続できるようにし、モバイル端末の一般電話番号入力ウィンドウで特定の相手の様々な異種の通信手段に容易に接続できるようにしたシステムである。
【００２７】
より詳細には、本発明の一実施形態に係るモバイルアプリケーション基盤の通信接続制御システムは、 各ユーザに固有に与えられ、複数の異種の通信手段に接続するための固有の異種通信接続ＩＤ（ＣＮＩＤ）を電話番号入力ウィンドウ２２やアプリケーション入力ウィンドウ２４に入力し、通信接続管理サーバ３０から実際の通信手段の識別情報を受け取って通信接続を行う通信接続制御アプリケーション４が搭載されたユーザ端末２と；各ユーザの申請により固有に与えた異種通信接続ＩＤ（ＣＮＩＤ）と、その異種通信接続ＩＤ（ＣＮＩＤ）が代表する複数の通信手段別の識別情報をマッチングして登録し、通信接続制御アプリケーション４の要求により実際の識別情報を提供する通信接続管理サーバ３０と；を含む。
【００２８】
即ち、本発明の一実施形態に係るモバイルアプリケーション基盤の通信接続制御システムは、いずれかのユーザが所有する複数の通信手段の識別情報を単一の異種通信接続ＩＤ（ＣＮＩＤ）に統合して接続できるようにし、モバイル端末に一般的に画面出力される電話番号入力ウィンドウ２２を通じても簡単に様々な通信手段に接続することができるので、ユーザの利便性が非常に高いシステムである。
【００２９】
この時、通信手段別識別情報３２、３４、３６．．．）はモバイルページのＵＲＬ、電子メールのＵＲＬ、電話番号、またはＳＮＳの接続ＵＲＬであり得、通信接続が可能な様々な手段の識別情報を制限なく含むことができる。
【００３０】
本発明の一実施形態に係るモバイルアプリケーション基盤の通信接続制御システムは、いずれかのユーザが所有する複数の通信手段の識別情報を単一の異種通信接続ＩＤ（ＣＮＩＤ）に統合して接続できるように登録処理を行う通信接続管理サーバ３０を備え、その通信接続管理サーバ３０は個人のユーザ端末２に搭載された通信接続制御アプリケーション４とプラグイン（Ｐｌｕｇ−Ｉｎ）方式で接続した状態で、通信接続制御アプリケーション４が要求する特定の異種通信接続ＩＤ（ＣＮＩＤ）の下位通信手段の識別情報を提供する。
【００３１】
特に、通信接続制御アプリケーション４は電話番号入力ウィンドウ２２に備えられた通話ボタンの操作時通話ボタン操作信号を一時待機させ、その入力情報が通信接続管理サーバ３０に既に登録されている異種通信接続ＩＤ（ＣＮＩＤ）であるかに対する確認を要求するように構成する。
【００３２】
即ち、ユーザ端末２に搭載された通信接続制御アプリケーション４は、ユーザ端末２に一般的に構成された電話番号入力ウィンドウ２２を出力した状態で、特定のデータを入力して呼び出し信号を発生させるとしても、まず呼び出し信号の発生を待機させる。
【００３３】
これは電話番号入力ウィンドウ２２に入力されたデータが異種通信接続ＩＤ（ＣＮＩＤ）であるか否かを確認する時間を与えるためである。これによって、ユーザは電話番号入力ウィンドウ２２に異種通信接続ＩＤ（ＣＮＩＤ）を入力するか、または通信接続制御アプリケーション４のアプリケーション入力ウィンドウ２４に異種通信接続ＩＤ（ＣＮＩＤ）を入力するかして、簡単に通信接続を行う。
【００３４】
例えば、ユーザが電話番号入力ウィンドウ２２に「０１０−００００−１１１１」という電話番号を入力してから呼び出し信号が発生した場合は、スタンバイ状態の通信接続制御アプリケーション４が自動的に駆動され、「０１０−００００−１１１１」という電話番号が既に登録された異種通信接続ＩＤ（ＣＮＩＤ）であるか否かに対する確認要求信号を通信接続管理サーバ３０に転送する。
【００３５】
もし、「０１０−００００−１１１１」が一般電話番号である場合は、固有の識別情報でなければならない異種通信接続ＩＤ（ＣＮＩＤ）の登録対象にならないため、通信接続管理サーバ３０には「０１０−００００−１１１１」が異種通信接続ＩＤ（ＣＮＩＤ）として登録されていない。
【００３６】
従って、通信接続管理サーバ３０は通信接続制御アプリケーション４に「０１０−００００−１１１１」が異種通信接続ＩＤ（ＣＮＩＤ）に登録されていないことを通知すると、通信接続制御アプリケーション４に「０１０−００００−１１１１」に対する呼び出し信号を発生させる。即ち、呼び出し信号待ち状態を解除させる。
【００３７】
反面、「０１０−００００−１１１１」が一般電話番号ではなく、異種通信接続ＩＤ（ＣＮＩＤ）として通信接続管理サーバ３０に登録されている情報である場合は、通信接続管理サーバ３０は「０１０−００００−１１１１」にマッチングされた通信手段の識別情報（例えば、電話番号や電子メールのＵＲＬまたはＳＮＳのＵＲＬなど）を抽出して通信接続制御アプリケーション４に転送する。
【００３８】
この場合、ユーザが電話番号入力ウィンドウ２２に異種通信接続ＩＤ（ＣＮＩＤ）を入力したので、通信接続制御アプリケーション４は、好ましくは、転送された複数の通信手段の識別情報のうち電話番号（例えば、０１０−１２３４−５６７８）を抽出して呼び出し信号を発生させることができ、複数の識別情報アイコンが表示された別の選択ウィンドウを出力させることもできる。
【００３９】
一方、異種通信接続ＩＤ（ＣＮＩＤ）は通信接続制御アプリケーション４のアプリケーション入力ウィンドウ２４を通じて入力することができる。この場合、好ましくは、通信接続制御アプリケーション４は転送された複数の通信手段の識別情報をユーザが閲覧可能に表示し、ユーザはいずれかの通信手段の識別情報（例えば、電話番号や電子メールのＵＲＬまたはＳＮＳのＵＲＬなど）を選択して接続を試みることができる。
【００４０】
一方、通信接続制御アプリケーション４は、通信接続管理サーバ３０から受信した異種通信接続ＩＤ（ＣＮＩＤ）に該当する識別情報が一つのみである場合、受信時自動的に識別情報に通信接続の処理を行う。
【００４１】
また、通信接続管理サーバ３０は通信接続制御アプリケーション４を通じてユーザが入力した各異種通信接続ＩＤ（ＣＮＩＤ：２８）別の登録通信手段がどのものであるかを確認できるように、各異種通信接続ＩＤ（ＣＮＩＤ）別の通信手段の情報をマッチングして登録する。
【００４２】
即ち、通信接続管理サーバ３０には各異種通信接続ＩＤ（ＣＮＩＤ：２８）別の複数の通信手段の識別情報が登録されと共に、各識別情報がどの通信手段のものであるかに関する情報も一緒に登録される。従って、これらの情報を通信接続制御アプリケーション４に転送すると、通信接続制御アプリケーション４もある識別情報がどの通信手段の識別情報であるかを判断することができるようになる。
【００４３】
また、通信接続管理サーバ３０は各異種通信接続ＩＤ（ＣＮＩＤ）別の現在通信可能な通信手段の情報を各異種通信接続ＩＤ（ＣＮＩＤ）に接続を希望するユーザが確認できるように通信接続制御アプリケーション４に提供する。好ましくは、ユーザが閲覧する時はアイコンの形態で出力する。
【００４４】
即ち、図３に示すように、通信接続制御アプリケーション４は「ＹＡＮＧ」または「ｅａｇｌｅ」のような異種通信接続ＩＤ（ＣＮＩＤ）に対して、マッチングされる複数の通信手段の識別情報を電話アイコン（４２）と文字メッセージアイコン（４４）、及び電子メールのアイコン（４６）とモバイルページアイコン（４８）などで表示されて出力されるので、ユーザはこれらのアイコンを閲覧しながら選択するこどができる。
【００４５】
従って、ユーザがいずれかの通信手段の識別情報を選択すると、通信接続制御アプリケーション４は通信接続管理サーバ３０から提供される通信手段の識別情報がどの種類の通信手段であるかを判断し、予め指定した接続経路を通じて接続信号が発生するように構成する。
【００４６】
即ち、モバイルページアイコン（４８）をユーザが選択した場合は、その隠し値に接続されたモバイルページの識別情報であるＵＲＬを通信接続制御アプリケーション４が抽出し、ワイヤレスデータ網に接続してＵＲＬに通信接続されるように処理する。
【００４７】
図４は本発明の一実施形態に係るモバイルアプリケーション基盤の通信接続制御システムに含まれた通信接続制御アプリケーションの構成を示すブロック図である。
【００４８】
この図を参照すれば、通信接続制御アプリケーション４は、その内部に単一の特定の異種通信接続ＩＤ（ＣＮＩＤ）にマッチングされた複数の通信手段の識別情報を通信接続管理サーバ３０に要求し、受信した複数の通信手段の識別情報と通信するための通信モジュール６と；電話番号入力ウィンドウに特定の識別情報が入力されると、呼接続要求信号の発生を一定時間停止するように処理する呼び出し待機処理部８と；単一の特定の異種通信接続ＩＤ（ＣＮＩＤ）にマッチングされた複数の通信手段の識別情報を通信接続管理サーバ３０に要求するためのＣＮＩＤ検索要求部１０と；を含む。
【００４９】
また、通信接続制御アプリケーション４は、その内部に通信接続管理サーバ３０から受信した複数の通信手段の識別情報のうち、ユーザの選択キー信号を受信して通話回路部１４または無線データ網制御部１６を駆動させる制御部２０を含む。
【００５０】
一方、通信接続制御アプリケーション４は、その内部に通信接続管理サーバ３０から受信した複数の通信手段の識別情報のうち、その出力順序が優先順位を有して設定された場合、設定順に通信接続を行うようにしたデータ出力順次処理部１２を含む。
【００５１】
また、通信接続制御アプリケーション４は、その内部に通信接続管理サーバ３０に通信可能なユーザの状態を設定するための状態設定部１７と；その状態設定情報を保存し、通信接続相手の異種通信接続ＩＤ（ＣＮＩＤ）及びその異種通信接続ＩＤ（ＣＮＩＤ）にマッチングされた複数の通信手段の識別情報を保存するデータ保存部１８と；をさらに含む。
【００５２】
次に、前述した構成を有する本発明の一実施形態に係るモバイルアプリケーション基盤の通信接続制御システムの機能と作用について添付図面を参照して詳細に説明する。
【００５３】
図５は本発明の一実施形態に係るモバイルアプリケーション基盤の通信接続制御システムに含まれた通信接続ＩＤの登録過程を示すフローチャートであり、図６は本発明の一実施形態に係るモバイルアプリケーション基盤の通信接続制御システムにおける信号の流れを示すフローチャートである。
【００５４】
まず、図５を参照して異種通信接続ＩＤ（ＣＮＩＤ）の登録過程を説明する。
【００５５】
通信接続管理サーバ３０はユーザ端末２から特定の異種通信接続ＩＤ（ＣＮＩＤ）に対する登録申請信号を受け付ける。好ましくは、この場合、まずユーザ端末２に通信接続制御アプリケーション４がインストールされることがよく、通信接続制御アプリケーション４は通信接続管理サーバ３０にダウンロード可能に登録されている。
【００５６】
その状態で、通信接続管理サーバ３０は異種通信接続ＩＤ（ＣＮＩＤ）が既に登録されたか否かを検索する。ユーザ端末２から転送された特定の異種通信接続ＩＤ（ＣＮＩＤ）をデータデータベースに登録された異種通信接続ＩＤ（ＣＮＩＤ）と比較することで、既に登録されたか否かを判断する。
【００５７】
異種通信接続ＩＤ（ＣＮＩＤ）が既に登録されている場合は、通信接続管理サーバ３０はユーザ端末２側に異種通信接続ＩＤ（ＣＮＩＤ）の既に登録されている情報を通知し、他の異種通信接続ＩＤ（ＣＮＩＤ）を入力するように誘導する。
【００５８】
一方、異種通信接続ＩＤ（ＣＮＩＤ）が登録されていないと、通信接続管理サーバ３０は異種通信接続ＩＤ（ＣＮＩＤ）の登録処理を行い、マッチングされる通信手段の識別情報のマッチング処理を行う。
【００５９】
即ち、ユーザはユーザ端末２を通じて通信接続管理サーバ３０に特定の異種通信接続ＩＤ（ＣＮＩＤ）に対する登録要求の際、マッチングする複数の通信手段の識別情報も一緒に入力して登録を要求しなければならない。
【００６０】
一方、マッチングされる通信手段の識別情報は異種通信接続ＩＤ（ＣＮＩＤ）の登録後処理しても構わない。
【００６１】
異種通信接続ＩＤ（ＣＮＩＤ）の登録が完了すると、図６に示すような信号の流れで処理が行われる。
【００６２】
即ち、ユーザは電話番号入力ウィンドウ２２やアプリケーション入力ウィンドウ２４を通じて異種通信接続ＩＤ（ＣＮＩＤ）の入力と識別情報の要求信号を発生させることがが可能である。
【００６３】
まず、ａ）ユーザ端末２にインストールされた通信接続制御アプリケーション４が特定の異種通信接続ＩＤ（ＣＮＩＤ）に対する入力信号及び呼び出し信号を受信することができる。
【００６４】
特定の異種通信接続ＩＤ（ＣＮＩＤ）に対する入力信号及び呼び出し信号が受信されると、ｂ）通信接続制御アプリケーション４が異種通信接続ＩＤ（ＣＮＩＤ）に対する入力信号が電話番号入力ウィンドウ２２で発生したものであるか、またはアプリケーション入力ウィンドウ２４で発生したものであるかを判断する。
【００６５】
即ち、ユーザは電話番号入力ウィンドウ２２を出力させた後、特定の異種通信接続ＩＤ（ＣＮＩＤ）をその電話番号入力ウィンドウ２２に入力することができ、アプリケーション入力ウィンドウ２４を出力させた後、特定の異種通信接続ＩＤ（ＣＮＩＤ）を入力することもできる。
【００６６】
もし、ｃ）入力信号が電話番号入力ウィンドウ２２で発生した場合は、通信接続制御アプリケーション４は呼び出し信号が待機するように電話番号入力ウィンドウ２２を制御する。
【００６７】
即ち、ユーザが電話番号入力ウィンドウ２２に特定のデータを入力してから通話ボタンを押した場合であっても、通信接続制御アプリケーション４は通話のための呼び出し信号が発生しないように待機させる。
【００６８】
この時、入力信号がアプリケーション入力ウィンドウ２４で発生した場合は、通信接続制御アプリケーション４は呼び出し信号が待機するように電話番号入力ウィンドウ２２を制御しない。
【００６９】
そして、ｄ）通信接続制御アプリケーション４が異種通信接続ＩＤ（ＣＮＩＤ）を通信接続管理サーバ３０に転送する。
【００７０】
そうすると、通信接続管理サーバ３０は異種通信接続ＩＤ（ＣＮＩＤ）にマッチングされた複数の通信手段の識別情報を抽出してユーザ端末２に転送する。
【００７１】
次に、ｅ）通信接続制御アプリケーション４は通信接続管理サーバ３０から異種通信接続ＩＤ（ＣＮＩＤ）にマッチングされた複数の通信手段の識別情報を受信して画面出力させる。
【００７２】
好ましくは、通信手段の識別情報はアイコンの形態で出力する。ユーザはいずれかの通信手段の識別情報を選択することができる。
【００７３】
従って、ｆ）通信接続制御アプリケーション４はいずれかの通信手段の識別情報に対する選択信号を受信し、次にｇ）通信接続制御アプリケーション４は通信手段の識別情報に通信接続を行う。
【００７４】
図７は本発明の一実施形態に係るモバイルアプリケーション基盤の通信接続制御システムを通じた状態設定データの転送状態を示す図である。
【００７５】
この図を参照すれば、本発明の一実施形態に係るモバイルアプリケーション基盤の通信接続制御システムは、特定の異種通信接続ＩＤ（ＣＮＩＤ）を所有しているユーザが異種通信接続ＩＤ（ＣＮＩＤ）に接続しようとする第３者に現在自分の通信可能な通信手段の情報を登録して表示することができる。
【００７６】
現在自分の通信可能な通信手段情報の登録は通信接続管理サーバ３０で行うことができ、通信可能な通信手段の情報の表示は通信接続制御アプリケーション４を通じて行うことができる。
【００７７】
従って、いずれかのユーザは通信接続制御アプリケーション４を駆動させ、そのアプリケーション上でのユーザ接続可能な通信手段を設定した後、その設定情報を通信接続管理サーバ３０に登録することができる。
【００７８】
例えば、第２のユーザの接続可能な通信手段がテキストメッセージまたはＳＮＳであれば、電話アイコンに接続不可が表示された状態、通信接続制御アプリケーション４を通じて設定データ５０の入力が可能であり、その入力した状態設定データ５０は通信接続管理サーバ３０に登録される。
【００７９】
その状態で、第１ユーザが通信接続制御アプリケーション４を駆動させ、その通信接続制御アプリケーション４に第２ユーザの異種通信接続ＩＤ（ＣＮＩＤ）を入力すると、通信接続管理サーバ３０は第２ユーザの状態設定データ５０を第１ユーザの通信接続制御アプリケーション４に転送する。
【００８０】
そうすると、第１ユーザは通信接続可能な通信手段の識別情報のうち、いずれかを選択することができるので、第１、第２ユーザの利便性が共に増大することができる。
【００８１】
図８は本発明の一実施形態に係るモバイルアプリケーション基盤の通信接続制御システムを通じた設定順により接続処理が行われる過程を示すフローチャートである。
【００８２】
まず、本発明の一実施形態に係るモバイルアプリケーション基盤の通信接続制御システムは、特定の通信手段の識別情報に接続する前に、特定の通信手段に優先接続されるようにユーザから設定でき、その処理が行われるようにすることができる。
【００８３】
例えば、本発明の一実施形態に係るモバイルアプリケーション基盤の通信接続制御システムは、第１ユーザが第２ユーザの電話番号に接続しようとする時、第２ユーザのモバイルページがまず出力された後、電話に接続できるように第２ユーザから設定することができる。
【００８４】
このため、通信接続管理サーバ３０は特定の異種通信接続ＩＤ（ＣＮＩＤ）にマッチングされた複数の通信手段のうち、特定の通信手段に接続を希望するユーザの信号を受信しても、優先接続が設定された通信手段に先に接続されるように識別情報を提供し、所望の通信手段には後に接続されるように識別情報を提供することができる。
【００８５】
一方、 通信接続制御アプリケーション４は、通信接続管理サーバ３０から受信した複数の通信手段の識別情報のうち、その出力順序が優先順位を有して設定された場合、設定順に通信接続を行うようにしたデータ出力順次処理部１２をさらに含む。
【００８６】
従って、通信接続管理サーバ３０は通信接続制御アプリケーション４から特定の異種通信接続ＩＤ（ＣＮＩＤ）について、特定の通信手段の識別情報が優先接続させるための設定信号を受信して登録する。
【００８７】
そして、通信接続管理サーバ３０は特定の異種通信接続ＩＤ（ＣＮＩＤ）にマッチングされた通信手段の識別情報及びその通信手段の識別情報に接続する前に先に接続される特定の通信手段の識別情報に関する情報を通信接続制御アプリケーション４に転送して、順次接続処理が行われるようにする。
【００８８】
これによって多様な接続関係を構成することができる。例えば第１ユーザが第２ユーザに電子メールを転送しようとする際にも、第２ユーザのモバイルページを優先出力させることができ、電子メールに接続する前に、テキストメッセージ入力ウィンドウを優先出力させることもできるので、例えば「お前に今メール送る。」という文字をまず転送することもできる。
【００８９】
一方、本発明の実施形態に係るモバイルアプリケーション基盤の通信接続制御システム及びその方法は、単に前述した実施形態に限定されるものではなく、その技術的要旨を逸脱しない範囲内で様々な変更が可能である。
【符号の説明】
【００９０】
２  ユーザ端末
４  通信接続制御アプリケーション
２２  電話番号入力ウィンドウ
２４  アプリケーション入力ウィンドウ
３０  通信接続管理サーバ
【図１】
0006427676.tif 000002
【図２】
0006427676.tif 000003
【図３】
0006427676.tif 000004
【図４】
0006427676.tif 000005
【図５】
0006427676.tif 000006
【図６】
0006427676.tif 000007
【図７】
0006427676.tif 000008
【図８】
0006427676.tif 000009